(57)【要約】【課題】白色光のホワイトバランスの調整を容易に行うことの可能な照明装置を提供する。【解決手段】照明装置１０は、第１の発光手段と、第２の発光手段と、青色光波長変換手段とを有する発光装置を備える。第１の発光手段は、白色ＬＥＤ１４であり、所定の波長をピークに持つ第１の青色光を発光する。第２の発光手段は、青色ＬＥＤ１５であり、第２の青色光を発光する。青色光波長変換手段は、ＹＡＧ（イットリウム・アルミニウム・ガーネット）系蛍光体であり、第１の青色光の一部を黄色光に変換する。第１の青色光と変換された黄色光と第２の青色光の合成光たる白色光の色度は、第１及び第２の青色光の光度の両方が調整されることによって、所定の色度に調整されている。これにより、照明装置１０は、青色光を発光する発光手段のみを用いて、所定の白色光の色度に調整された白色光を出光することができる。【選択図】図３
2007109617.tif 000002
【特許請求の範囲】
【請求項１】
発光装置を備える照明装置であって、
前記発光装置は、
所定の波長をピークに持つ第１の青色光を発光する第１の発光手段と、
前記第１の青色光の一部を黄色光に変換する青色光波長変換手段と、
前記第１の青色光とは異なる発光手段によって発光される第２の青色光を発光する第２
の発光手段と、を備え、
前記第１の青色光と前記第２の青色光と前記黄色光の合成光たる白色光が、所定の色度
となるように、前記第１の青色光の光度と前記第２の青色光の光度の両方が調整されてな
ることを特徴とする照明装置。
【請求項２】
前記発光装置は、
前記第１の青色光のピークとなる波長とは異なる波長をピークに持つ第３の青色光を発
光する第３の発光手段と、を更に備え
前記青色光波長変換手段は、前記第１の青色光の一部と前記第３の青色光の一部を黄色
光に変換し、
前記第１の青色光と前記第２の青色光と前記第３の青色光と前記黄色光との合成光たる
白色光が、所定の色度となるように、前記第１の青色光の光度と前記第２の青色光の光度
と前記第３の青色光の光度のすべてが調整されてなることを特徴とする請求項１に記載の
照明装置。
【請求項３】
前記第１の青色光及び前記第２の青色光は、波長４３０ｎｍ〜４８０ｎｍの範囲内の波
長をピークに持つことを特徴とする請求項１又は２に記載の照明装置。
【請求項４】
請求項１乃至３のいずれか一項に記載の照明装置と、
前記照明装置によって照明されてなる表示パネルと、を有することを特徴とする電気光
学装置。
【請求項５】
所定の波長をピークに持つ第１の青色光を発光する第１の発光手段と、
前記第１の青色光の一部を黄色光に変換する青色光波長変換手段と、
前記第１の青色光とは異なる発光手段によって発光される第２の青色光を発光する第２
の発光手段と、を備え、
前記第１の青色光と前記第２の青色光と前記黄色光の合成光たる白色光が、所定の色度
となるように、前記第１の青色光の光度と前記第２の青色光の光度の両方が調整されてな
る照明装置と、
前記照明装置から出射された光が入射する複数の表示画素を備えた表示パネルと、を有
し、
前記表示パネルの１つの表示画素は、複数のサブ画素を備え、前記サブ画素には、波長
に応じて色相が変化する可視光領域のうち、青系の色相の着色領域、赤系の色相の着色領
域、青から黄までの色相の中で選択された２種の色相の着色領域からなる４種の着色領域
のうちのいずれかを備えることを特徴とする電気光学装置。
【請求項６】
青から黄までの色相の中で選択された前記２種の色相の着色領域の一方の着色領域が青
から緑の色相であることを特徴とする請求項５に記載の電気光学装置。
【請求項７】
青から黄までの色相の中で選択された前記２種の色相の着色領域の他方の着色領域が緑
から橙の色相であることを特徴とする請求項５に記載の電気光学装置。
【請求項８】
所定の波長をピークに持つ第１の青色光を発光する第１の発光手段と、
前記第１の青色光の一部を黄色光に変換する青色光波長変換手段と、
前記第１の青色光とは異なる発光手段によって発光される第２の青色光を発光する第２
の発光手段と、を備え、
前記第１の青色光と前記第２の青色光と前記黄色光の合成光たる白色光が、所定の色度
となるように、前記第１の青色光の光度と前記第２の青色光の光度の両方が調整されてな
る照明装置と、
前記照明装置から出射された光が入射する複数の表示画素を備えた表示パネルと、を有
し、
前記表示パネルの１つの表示画素は、複数のサブ画素を備え、前記サブ画素には、透過
光の波長のピークが、４１５〜５００ｎｍにある第１着色領域と、６００ｎｍ以上にある
第２着色領域と、４８５〜５３５ｎｍにある第３着色領域と、５００〜５９０ｎｍにある
第４着色領域とからなる４種の着色領域のうちのいずれかを備え、前記照明装置から出射
された光は、前記４種の着色領域を透過した時に白色光として出射されることを特徴とす
る電気光学装置。
【請求項９】
前記第３着色領域の透過光の波長のピークが４９５〜５２０ｎｍにあることを特徴とす
る請求項８に記載の電気光学装置。
【請求項１０】
前記第４着色領域の透過光の波長のピークが５１０〜５８５ｎｍにあることを特徴とす
る請求項８に記載の電気光学装置。
【請求項１１】
所定の波長をピークに持つ第１の青色光を発光する第１の発光手段と、前記第１の青色
光の一部を黄色光に変換する青色光波長変換手段と、前記第１の青色光とは異なる発光手
段によって発光される第２の青色光を発光する第２の発光手段と、を備えた照明装置と、
複数の表示画素を備え、前記照明装置から出射された光が入射する表示パネルと、を有
し、
前記表示画素は、複数のサブ画素を備え、前記サブ画素は、赤、緑、青、シアンの各色
の着色層のいずれかを備えることを特徴とする電気光学装置。
【請求項１２】
請求項４乃至１１のいずれか一項に記載の電気光学装置を表示部に備えることを特徴と
する電子機器。
【請求項１３】
所定の波長をピークに持つ第１の青色光を発光する第１の発光手段と、
前記第１の青色光の一部を黄色光に変換する青色光波長変換手段と、
前記第１の青色光とは異なる発光手段によって発光される第２の青色光を発光する第２
の発光手段と、を備えることを特徴とする発光装置。
【請求項１４】
２つの青色光を夫々発光する２つの発光手段と、前記２つの青色光のうち、いずれか１
つの青色光の一部を黄色光に変換する青色光波長変換手段と、を有する発光装置を備えた
電気光学装置の製造方法であって、
前記発光装置を有する照明装置を作製する照明装置作製工程と、
表示パネルを作製する表示パネル作製工程と、
前記照明装置と前記表示パネルを組み合わせる組み合わせ工程と、
前記２つの青色光の光度の両方を調整する光度調整工程と、を備えることを特徴とする
電気光学装置の製造方法。
【請求項１５】
前記光度調整工程は、前記組み合わせ工程の前工程で行われ、前記照明装置より出光さ
れる光を基に、前記２つの青色光の光度の両方の調整を行うことでホワイトバランスの調
整を行うことを特徴とする請求項１４に記載の電気光学装置の製造方法。
【請求項１６】
前記光度調整工程は、前記組み合わせ工程の後工程で行われ、表示パネルより出光され
る光を基に、前記２つの青色光の光度の両方の調整を行うことでホワイトバランスの調整
を行うことを特徴とする請求項１４に記載の電気光学装置の製造方法。
【請求項１７】
前記表示パネルは複数の表示画素を備え、
夫々の前記表示画素は、波長に応じて色相が変化する可視光領域のうち、青系の色相の
着色領域、赤系の色相の着色領域、青から黄までの色相の中で選択された２種の色相の着
色領域の各色のサブ画素から構成されていることを特徴とする請求項１６に記載の電気光
学装置の製造方法。
【請求項１８】
前記表示パネルは複数の表示画素を備え、
夫々の前記表示画素は、透過光の波長のピークが、４１５〜５００ｎｍにある第１着色
領域と、６００ｎｍ以上にある第２着色領域と、４８５〜５３５ｎｍにある第３着色領域
と、５００〜５９０ｎｍにある第４着色領域の各色のサブ画素から構成されていることを
特徴とする請求項１６に記載の電気光学装置の製造方法。
【請求項１９】
前記表示パネルは複数の表示画素を備え、
夫々の前記表示画素は、赤、緑、青、シアンの各色のサブ画素から構成されていること
を特徴とする請求項１６に記載の電気光学装置の製造方法。
【発明の詳細な説明】
【技術分野】
【０００１】
本発明は、電気光学装置の照明装置用の光源として用いられる発光装置に関する。
【背景技術】
【０００２】
液晶表示装置に代表される電気光学装置は、２枚の基板間などに液晶などの電気光学物
質を保持してなる構造を有している。例えば、液晶表示装置においては、透過表示を行う
ために液晶表示パネルの背面側に照明装置が設けられる。照明装置には、その光源たる発
光装置として、複数のシングルシップ方式の白色ＬＥＤ（Light Emitting Diode）を用い
るものがある。シングルチップ方式の白色ＬＥＤは、波長４３０〜４８０ｎｍの青色光を
出光する青色ＬＥＤと、ＹＡＧ（イットリウム・アルミニウム・ガーネット）系蛍光体よ
り構成される。シングルチップ方式の白色ＬＥＤは、内部の青色ＬＥＤからの青色光でＹ
ＡＧ系蛍光体を励起することによって黄色光を生成し、青色光と黄色光を混光することで
白色光を生成する。液晶表示装置は、照明装置より出光された白色光を、液晶表示パネル
の基板上に積層されている赤（Ｒ）、緑（Ｇ）、青（Ｂ）のそれぞれの波長の光を透過す
るカラーフィルタに透過させることにより、カラー表示を実現している。
【０００３】
このようなシングルチップ方式の白色ＬＥＤでは、青色ＬＥＤより出光される青色光の
波長や、ＹＡＧ系蛍光体の量により、発光色度のばらつきが生じる。なお、以下の特許文
献１では、上述した白色ＬＥＤと共に色度補正用のＬＥＤを配置することにより、発光色
度のばらつきを補償する方法が記載されている。
【０００４】
【特許文献１】特開２００１−２０９０４９号公報
【発明の開示】
【発明が解決しようとする課題】
【０００５】
しかしながら、ＲＧＢのカラーフィルタを有する液晶表示パネルに、照明装置から出光
した白色光を透過させた場合、白色光の青色光の成分が吸収されてしまうことにより、液
晶表示パネルで白色表示を行う際における白色光の色度が、照明装置から出光された白色
光の色度と大きく異なることがある。最近では、ＲＧＢのカラーフィルタの他にシアン（
Ｃ）の波長の光を透過するカラーフィルタも有する液晶表示装置も考えられているが、こ
のＲＧＢＣのカラーフィルタを有する液晶表示パネルでは、ＲＧＢのカラーフィルタを有
する液晶表示パネルと比較して、Ｃのカラーフィルタを追加したことにより、白色点が、
より緑色側にシフトする傾向がある。
【０００６】
本発明は上記の点に鑑みてなされたものであり、白色光のホワイトバランスの調整を容
易に行うことの可能な照明装置を提供することを課題とする。
【課題を解決するための手段】
【０００７】
本発明の１つの観点では、発光装置を備える照明装置であって、前記発光装置は、所定
の波長をピークに持つ第１の青色光を発光する第１の発光手段と、前記第１の青色光の一
部を黄色光に変換する青色光波長変換手段と、前記第１の青色光とは異なる発光手段によ
って発光される第２の青色光を発光する第２の発光手段と、を備え、前記第１の青色光と
前記第２の青色光と前記黄色光の合成光たる白色光が、所定の色度となるように、前記第
１の青色光の光度と前記第２の青色光の光度の両方が調整されてなる。
【０００８】
上記の照明装置は、例えば、表示パネルのバックライトとして機能するものであり、光
源部として発光装置を備える。前記発光装置は、第１の発光手段と、第２の発光手段と、
青色光波長変換手段と、を備える。前記第１の発光手段は、例えば青色ＬＥＤであり、所
定の波長をピークに持つ第１の青色光を発光する。前記第２の発光手段は、例えば青色Ｌ
ＥＤであり、第２の青色光を発光する。前記青色光波長変換手段は、例えばＹＡＧ（イッ
トリウム・アルミニウム・ガーネット）系蛍光体であり、前記第１の青色光の一部を黄色
光に変換する。前記第１の青色光と前記第２の青色光と前記黄色光の合成光たる白色光の
色度は、前記第１の青色光の光度と前記第２の青色光の光度の両方が調整されることによ
って、所定の色度に調整されている。これにより、前記照明装置は、青色光を発光する発
光手段のみを用いて、所定の白色光の色度に調整された白色光を出光することができる。
【０００９】
上記の照明装置の一態様では、前記発光装置は、前記第１の青色光のピークとなる波長
とは異なる波長をピークに持つ第３の青色光を発光する第３の発光手段と、を更に備え、
前記青色光波長変換手段は、前記第１の青色光の一部と前記第３の青色光の一部を黄色光
に変換し、前記第１の青色光と前記第２の青色光と前記第３の青色光と前記黄色光との合
成光たる白色光が、所定の色度となるように、前記第１の青色光の光度と前記第２の青色
光の光度と前記第３の青色光の光度のすべてが調整されてなる。これにより、前記照明装
置は、ホワイトバランスの調整がｘｙ色度図におけるＸ軸方向とＹ軸方向の広範囲につい
て行われた白色光を出光することができる。
【００１０】
上記の照明装置の好適な実施例では、前記発光装置は、前記第１の青色光及び前記第２
の青色光は、波長４３０ｎｍ〜４８０ｎｍの範囲内の波長をピークに持つ。
【００１１】
本発明の他の観点では、上記の照明装置と、前記照明装置によって照明されてなる表示
パネルを備えることを特徴とする電気光学装置を構成することができる。電気光学装置は
、例えば液晶表示装置であり、表示パネルは、例えば液晶表示パネルである。ここで、表
示パネルにおいて、１つの表示画素が赤、緑、青のサブ画素で構成されている場合には、
照明装置より出光した白色光が表示パネルを透過する際、その青色光の成分が吸収され、
白色光のホワイトバランスが崩れてしまう。上記の照明装置では、青色光の光度を調整す
ることができるので、表示パネルで吸収された白色光の青色光の成分を補うことができる
。
【００１２】
本発明のさらなる他の観点では、電気光学装置は、所定の波長をピークに持つ第１の青
色光を発光する第１の発光手段と、前記所定の波長と異なる波長をピークに持つ第２の青
色光を発光する第２の発光手段と、前記第１の青色光の一部及び前記第２の青色光の一部
を黄色光に変換する青色光波長変換手段と、を備え、前記第１の青色光と前記第２の青色
光と前記黄色光の合成光たる白色光が、所定の色度となるように、前記第１の青色光の光
度と前記第２の青色光の光度の両方が調整されてなる照明装置と、前記照明装置から出射
された光が入射する複数の表示画素を備えた表示パネルと、を有し、前記表示パネルの１
つの表示画素は、複数のサブ画素を備え、前記サブ画素には、波長に応じて色相が変化す
る可視光領域のうち、青系の色相の着色領域、赤系の色相の着色領域、青から黄までの色
相の中で選択された２種の色相の着色領域からなる４種の着色領域のうちのいずれかを備
える。このような表示パネルは、広い色相範囲での表示が可能であり、上記の照明装置を
備えることにより、表示パネルで吸収された白色光の青色光の成分を補って高い色再現性
を有する電気光学装置を提供することができる。また、この場合、青から黄までの色相の
中で選択された前記２種の色相の着色領域の一方の着色領域が青から緑の色相であること
が好ましい。あるいは、青から黄までの色相の中で選択された前記２種の色相の着色領域
の他方の着色領域が緑から橙の色相であることが好ましい。これによれば、前記２種の色
相の着色領域の設定が最適化され、よりホワイトバランスがとれた白色光を得ることがで
きる。
【００１３】
本発明のさらなる他の観点では、電気光学装置は、所定の波長をピークに持つ第１の青
色光を発光する第１の発光手段と、前記所定の波長と異なる波長をピークに持つ第２の青
色光を発光する第２の発光手段と、前記第１の青色光の一部及び前記第２の青色光の一部
を黄色光に変換する青色光波長変換手段と、を備え、前記第１の青色光と前記第２の青色
光と前記黄色光の合成光たる白色光が、所定の色度となるように、前記第１の青色光の光
度と前記第２の青色光の光度の両方が調整されてなる照明装置と、前記照明装置から出射
された光が入射する複数の表示画素を備えた表示パネルと、を有し、前記表示パネルの１
つの表示画素は、複数のサブ画素を備え、前記サブ画素には、透過光の波長のピークが、
４１５〜５００ｎｍにある第１着色領域と、６００ｎｍ以上にある第２着色領域と、４８
５〜５３５ｎｍにある第３着色領域と、５００〜５９０ｎｍにある第４着色領域とからな
る４種の着色領域のうちのいずれかを備える。このような表示パネルは、広い色相範囲で
の表示が可能であるが、上記の照明装置を備えることにより、表示パネルで吸収された白
色光の青色光の成分を補って高い色再現性を有する電気光学装置を提供することができる
。また、この場合、前記第３着色領域の透過光の波長のピークが４９５〜５２０ｎｍにあ
ることが好ましい。あるいは、前記第４着色領域の透過光の波長のピークが５１０〜５８
５ｎｍにあることが好ましい。これによれば、前記第３着色領域または前記第４着色領域
の設定が最適化され、よりホワイトバランスがとれた白色光を得ることができる。
【００１４】
本発明のさらなる他の観点では、電気光学装置は、所定の波長をピークに持つ第１の青
色光を発光する第１の発光手段と、前記第１の青色光の一部を黄色光に変換する青色光波
長変換手段と、前記第１の青色光とは異なる発光手段によって発光される第２の青色光を
発光する第２の発光手段と、を備えた照明装置と、複数の表示画素を備え、前記照明装置
から出射された光が入射する表示パネルと、を有し、前記表示画素は、複数のサブ画素を
備え、前記サブ画素は、赤、緑、青、シアンの各色の着色層のいずれかを備える。前記表
示パネルの１つの表示画素は、赤、緑、青、シアンの各色の着色層のいずれかを備えたサ
ブ画素から構成されている。つまり、前記表示パネルは、１つの表示画素は、赤、緑、青
、シアンのサブ画素で構成されている。このような表示パネルは、１つの表示画素が赤、
緑、青のサブ画素で構成されている表示パネルよりも、シアンの色のサブ画素を追加した
ことにより、白色点が、より緑色側にシフトする傾向がある。従って、１つの表示画素が
、赤、緑、青、シアンの各色のサブ画素から構成されている表示パネルの照明装置として
、上記の照明装置を用いることにより、白色光の青色光の成分を多くすることができ、緑
色側にシフトした白色光の白色点を最適な白色点に調整することができる。
【００１５】
本発明のさらなる他の観点では、上記の電気光学装置を表示部に備えることを特徴とす
る電子機器を構成することができる。
【００１６】
本発明のさらなる他の観点では、発光装置は、所定の波長をピークに持つ第１の青色光
を発光する第１の発光手段と、前記第１の青色光の一部を黄色光に変換する青色光波長変
換手段と、前記第１の青色光とは異なる発光手段によって発光される第２の青色光を発光
する第２の発光手段と、を備える。これにより、前記発光装置は、青色光を発光する発光
手段のみを用いて、所定の色度の白色光を出光することができる。
【００１７】
本発明のさらなる他の観点では、２つの青色光を夫々発光する２つの発光手段と、前記
２つの青色光のうち、いずれか１つの青色光の一部を黄色光に変換する青色光波長変換手
段と、を有する発光装置を備えた電気光学装置の製造方法は、前記発光装置を有する照明
装置を作製する照明装置作製工程と、表示パネルを作製する表示パネル作製工程と、前記
照明装置と前記表示パネルを組み合わせる組み合わせ工程と、前記２つの青色光の光度の
両方を調整する光度調整工程と、を備える。このようにして、電気光学装置の製造工程中
において、白色光のホワイトバランスの調整を行うことができる。
【００１８】
上記の電気光学装置の製造方法の好適な一態様では、前記光度調整工程は、前記組み合
わせ工程の前工程で行われ、前記照明装置より出光される光を基に、前記２つの青色光の
光度の両方の調整を行うことでホワイトバランスの調整を行う。
【００１９】
上記の電気光学装置の製造方法の他の一態様では、前記光度調整工程は、前記組み合わ
せ工程の後工程で行われ、前記表示パネルより出光される光を基に、前記２つの青色光の
光度の両方の調整を行うことでホワイトバランスの調整を行う。これにより、観測者が実
際に視認する表示画面に映し出される白色光のホワイトバランスを調整することができる
。
【００２０】
上記の電気光学装置の製造方法の好適な一態様では、前記表示パネルは複数の表示画素
を備え、夫々の前記表示画素は、波長に応じて色相が変化する可視光領域のうち、青系の
色相の着色領域、赤系の色相の着色領域、青から黄までの色相の中で選択された２種の色
相の着色領域の各色のサブ画素から構成されている。
【００２１】
上記の電気光学装置の製造方法の好適な他の一態様では、前記表示パネルは複数の表示
画素を備え、夫々の前記表示画素は、透過光の波長のピークが、４１５〜５００ｎｍにあ
る第１着色領域と、６００ｎｍ以上にある第２着色領域と、４８５〜５３５ｎｍにある第
３着色領域と、５００〜５９０ｎｍにある第４着色領域の各色のサブ画素から構成されて
いる。
【００２２】
上記の電気光学装置の製造方法の好適なさらなる一態様では、前記表示パネルは複数の
表示画素を備え、夫々の表示画素は、赤、緑、青、シアンの各色のサブ画素から構成され
ている。
【発明を実施するための最良の形態】
【００２３】
以下、図面を参照して本発明を実施するための最良の形態について説明する。
【００２４】
［液晶表示装置］
まず、図１〜図２を参照して、第１実施形態及び第２実施形態に係る照明装置を適用す
ることのできる液晶表示装置１００の構成について説明する。
【００２５】
図１は、液晶表示装置１００の概略構成を模式的に示す平面図である。図１では、紙面
手前側（観察側）にカラーフィルタ基板９２が、また、紙面奥側に素子基板９１が夫々配
置されている。なお、図１では、紙面縦方向（列方向）をＹ方向と、また、紙面横方向（
行方向）をＸ方向と規定する。また、図１において、Ｒ（赤）、Ｇ（緑）、Ｂ（青）Ｃ（
シアン）に対応する各領域は１つのサブ画素ＳＧを示していると共に、Ｒ、Ｇ、Ｂ、Ｃに
対応する１行４列のサブ画素ＳＧは、１つの画素領域ＡＧを示している。
【００２６】
図２は、液晶表示装置１００における切断線Ａ−Ａ´に沿った１つの画素領域ＡＧの拡
大断面図である。図２に示すように、液晶表示装置１００は、液晶表示パネル３０と、第
１実施形態に係る照明装置１０又は第２実施形態に係る照明装置１０ａより構成される。
液晶表示パネル３０は、素子基板９１と、その素子基板９１に対向して配置されるカラ
ーフィルタ基板９２とが枠状のシール材５を介して貼り合わされ、そのシール材５の内側
に液晶が封入されて液晶層４が形成されてなる。液晶表示パネル３０の素子基板９１の外
面上には、第１実施形態に係る照明装置１０又は第２実施形態に係る照明装置１０ａが備
えられる。
【００２７】
液晶表示装置１００は、ＲＧＢＣの４色を用いて構成されるカラー表示用の液晶表示装
置であると共に、スイッチング素子としてａ−Ｓｉ型ＴＦＴ（Thin Film Transistor）素
子を用いたアクティブマトリクス駆動方式の液晶表示装置である。
【００２８】
素子基板９１の平面構成について説明する。素子基板９１の内面上には、主として、複
数のソース線３２、複数のゲート線３３、複数のａ−Ｓｉ型ＴＦＴ素子３７、複数の画素
電極３４、ドライバＩＣ４０、外部接続用配線３５及びＦＰＣ（Flexible Printed Circu
it）４１などが形成若しくは実装されている。
【００２９】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００３０】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはＴＦ
Ｔ素子３７が設けられており、各ＴＦＴ素子３７は各ソース線３２、各ゲート線３３及び
各画素電極３４等に電気的に接続されている。各ＴＦＴ素子３７及び各画素電極３４は、
ガラスなどの基板１上の各サブ画素ＳＧに対応する位置に設けられている。各画素電極３
４は、例えばＩＴＯ（Indium-Tin Oxide）などの透明導電材料により形成されている。
【００３１】
１つの画素領域ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。なお、有効表示領域Ｖの外側の領域は表示に寄与しない
額縁領域３８となっている。また、各ソース線３２、各ゲート線３３、各ＴＦＴ素子３７
、及び各画素電極３４等の内面上には、図示しない配向膜が形成されている。
【００３２】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、Ｒ、Ｇ、Ｂ、Ｃの４色の着色層６Ｒ
、６Ｇ、６Ｂ、６Ｃ及び共通電極８などを有する。ＢＭは、各サブ画素ＳＧを区画する位
置に形成されている。なお、以下の説明もしくは図面において、色を問わずに構成要素を
示す場合には、単に「着色層６」のように記し、色を区別して構成要素を示す場合には、
例えば「着色層６Ｒ」のように記すこととする。この着色層６がカラーフィルタを構成す
る。共通電極８は、画素電極と同様にＩＴＯなどの透明導電材料からなり、カラーフィル
タ基板９２の略一面に亘って形成されている。共通電極８は、シール材５の隅の領域Ｅ１
において配線３６の一端側と電気的に接続されていると共に、当該配線３６の他端側は、
ドライバＩＣ４０のＣＯＭに対応する出力端子と電気的に接続されている。
【００３３】
次に、照明装置１０、１０ａについて説明する。照明装置１０、１０ａは、導光板１１
と光源部１２より構成される。光源部１２は、導光板１１の端面１１ｃに対し光Ｌを出光
する。光源部１２は、点光源たる複数の白色ＬＥＤ、及び青色ＬＥＤを備える。白色ＬＥ
Ｄは、白色光を出光し、青色ＬＥＤは、青色光を出光する。後に、第１実施形態に係る照
明装置１０、第２実施形態に係る照明装置１０ａについて詳しく述べる。
【００３４】
光源部１２より出光した光Ｌは、導光板１１の端面（以下、「入光端面」と称す）１１
ｃより導光板１１内へ入り、導光板１１の出光面１１ａ、反射面１１ｂで反射を繰り返す
ことにより方向を変え、導光板１１の出光面１１ａと光Ｌのなす角が臨界角を超えると、
導光板１１の出光面１１ａから照明光Ｌとして液晶表示パネル３０へ夫々出光する。液晶
表示装置１００は、光Ｌが液晶表示パネル３０を透過することによって照明される。これ
により、液晶表示装置１００は、文字、数字、図形等の画像を表示することができ、観測
者が画像を視認することができる。
【００３５】
液晶表示装置１００では、電子機器のメイン基板等と接続されたＦＰＣ４１側からの信
号及び電力等に基づき、ドライバＩＣ４０によって、Ｇ１、Ｇ２、・・・、Ｇｍ−１、Ｇ
ｍ（ｍは自然数）の順にゲート線３３が順次排他的に１本ずつ選択されるとともに、選択
されたゲート線３３には、選択電圧のゲート信号が供給される一方、他の非選択のゲート
線３３には、非選択電圧のゲート信号が供給される。そして、ドライバＩＣ４０は、選択
されたゲート線３３に対応する位置にある画素電極３４に対し、表示内容に応じたソース
信号を、それぞれ対応するＳ１、Ｓ２、・・・、Ｓｎ−１、Ｓｎ（ｎは自然数）のソース
線３２及びＴＦＴ素子３７を介して供給する。その結果、液晶層４の配向状態が制御され
、液晶表示装置１００の表示状態が、非表示状態または中間表示状態に切り替えられるこ
ととなる。
【００３６】
なお、図２に示すように、液晶表示装置１００における１つの画素領域ＡＧは、ＲＧＢ
Ｃの４色の着色層６より構成されるとしているが、これに限られない。この代わりに、液
晶表示装置１００における１つの画素領域ＡＧが、一般的な画素領域の構成であるＲＧＢ
の３色の着色層６より構成されるとすることもできる。
【００３７】
さらには、各着色層６Ｒ，６Ｇ，６Ｂ，６Ｃが設けられた各着色領域は、各サブ画素Ｓ
Ｇに対応するものであり、４色（４種）の着色領域で１つの画素領域ＡＧを構成する。４
色の着色領域は、波長に応じて色相が変化する可視光領域（３８０−７８０ｎｍ）のうち
、青系の色相の着色領域、赤系の色相の着色領域と、青から黄までの色相の中で選択され
た２種の色相の着色領域からなるとしてもよい。ここで系と用いているが、例えば青系で
あれば純粋の青の色相に限定されるものでなく、青紫や青緑等を含むものである。赤系の
色相であれば、赤に限定されるものでなく橙を含む。また、これら着色領域は単一の着色
層で構成されても良いし、複数の異なる色相の着色層を重ねて構成されても良い。また、
これら着色領域は色相で述べているが、当該色相は、彩度、明度を適宜変更し、色を設定
し得るものである。
【００３８】
４色の着色領域の具体的な色相の範囲は、例えば、青系の色相の着色領域は、青紫から
青緑であり、より好ましくは藍から青である。赤系の色相の着色領域は、橙から赤である
。青から黄までの色相で選択される一方の着色領域は、青から緑であり、より好ましくは
青緑から緑である。青から黄までの色相で選択される他方の着色領域は、緑から橙であり
、より好ましくは緑から黄である。もしくは緑から黄緑である。ここで、各着色領域は、
同じ色相を用いることはない。例えば、青から黄までの色相で選択される２つの着色領域
で緑系の色相を用いる場合は、他方は一方の緑に対して青系もしくは黄緑系の色相を用い
る。これにより、従来のＲＧＢの着色領域よりも広範囲の色再現性を実現することができ
る。
【００３９】
また、広範囲の色再現性を色相で述べたが、着色領域の色相の設定は、これを透過した
透過光の波長のピークを基に定めてもよい。例えば、青系の着色領域は、波長のピークが
４１５−５００ｎｍにある着色領域、好ましくは、４３５−４８５ｎｍにある着色領域で
ある。赤系の着色領域は、波長のピークが６００ｎｍ以上にある着色領域で、好ましくは
、６０５ｎｍ以上にある着色領域である。青から黄までの色相で選択される一方の着色領
域は、波長のピークが４８５−５３５ｎｍにある着色領域で、好ましくは、４９５−５２
０ｎｍにある着色領域である。青から黄までの色相で選択される他方の着色領域は、波長
のピークが５００−５９０ｎｍにある着色領域、好ましくは５１０−５８５ｎｍにある着
色領域、もしくは５３０−５６５ｎｍにある着色領域である。
【００４０】
また、ｘｙ色度図で４色の着色領域の設定を行ってもよい。青系の着色領域は、ｘ≦0.
151、ｙ≦0.056にある着色領域であり、好ましくは、0.134≦ｘ≦0.151、0.034≦ｙ≦0.0
56にある着色領域である。赤系の着色領域は、0.643≦ｘ、ｙ≦0.333にある着色領域であ
り、好ましくは、0.643≦ｘ≦0.690、0.299≦ｙ≦0.333にある着色領域である。青から黄
までの色相で選択される一方の着色領域は、ｘ≦0.164、0.453≦ｙにある着色領域であり
、好ましくは、0.098≦ｘ≦0.164、0.453≦ｙ≦0.759にある着色領域である。青から黄ま
での色相で選択される他方の着色領域は、0.257≦ｘ、0.606≦ｙにある着色領域であり、
好ましくは、0.257≦ｘ≦0.357、0.606≦ｙ≦0.670にある着色領域である。
【００４１】
これら４色の着色領域は、サブ画素に透過領域と反射領域を備えた場合、透過領域及び
反射領域も上述した範囲で適用することができるものである。
【００４２】
上記４色の着色領域の構成の例として、以下のものが挙げられる。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルド、黄の着色領域。
（５）色相が、赤、青、深緑、黄緑の着色領域。
（６）色相が、赤、青緑、深緑、黄緑の着色領域。
【００４３】
また、液晶表示装置１００は、完全透過型の液晶表示装置として示しているが、これに
限られず、代わりに半透過反射型の液晶表示装置を用いるとすることもできる。さらに、
図１に示すように、スイッチング素子としては、ＴＦＴ素子３７を用いるとしているが、
これに限られず、代わりにＴＦＤ（Thin Film Diode）素子を用いるとすることもできる
。
【００４４】
[第１実施形態]
図３に、第１実施形態に係る照明装置１０の平面図を示す。図３に示すように、先に述
べた白色ＬＥＤ１４、青色ＬＥＤ１５は夫々、同数ずつ光源部１２に配置される。光源部
１２より出光される光Ｌは、白色ＬＥＤ１４より出光された白色光と青色ＬＥＤ１５より
出光された青色光が混光された合成光である。白色ＬＥＤ１４は、電流Ｉａが流されるこ
とにより白色光を出光する。電流Ｉａの電流量を大きくすれば、白色ＬＥＤ１４より出光
される白色光の光度は大きくなり、電流Ｉａの電流量を小さくすれは、白色ＬＥＤ１４よ
り出光される白色光の光度は小さくなる。一方、青色ＬＥＤ１５は、電流Ｉｂが流される
ことにより青色光を出光する。電流Ｉｂの電流量を大きくすれば、青色ＬＥＤ１５より出
光される青色光の光度は大きくなり、電流Ｉｂの電流量を小さくすれば、青色ＬＥＤ１５
より出光される青色光の光度は小さくなる。つまり、白色ＬＥＤ１４より出光される白色
光の光度、青色ＬＥＤ１５より出光される青色光の光度は、夫々電流Ｉａ、Ｉｂの電流量
に応じて変化する。電流Ｉａ、Ｉｂの電流量は、図示しない制御装置によって夫々独立に
制御される。制御装置は、ＬＥＤの駆動回路、ＬＥＤのコントロール回路と合わせてＦＰ
Ｃ４１上に配置されている。
【００４５】
図４に、白色ＬＥＤ１４の構成を夫々示す。白色ＬＥＤ１４は、シングルチップ方式の
白色ＬＥＤである。白色ＬＥＤ１４は、主に、反射枠体２１と、青色ＬＥＤ２４と、ＹＡ
Ｇ（イットリウム・アルミニウム・ガーネット）系蛍光体２３より構成される。
【００４６】
青色ＬＥＤ２４としては、波長４３０ｎｍ〜４８０ｎｍの範囲内の波長をピークに持つ
青色光を出光するものが用いられる。青色ＬＥＤ２４は、電流Ｉａが流されることにより
青色光を出光する。ここで、電流Ｉａの電流量を大きくすれば、青色ＬＥＤ２４より出光
される青色光の光度は大きくなり、電流Ｉａの電流量を小さくすれば、青色ＬＥＤ２４よ
り出光される青色光の光度は小さくなる。
【００４７】
反射枠体２１は、樹脂などにより形成され、すり鉢状の凹部を有しており、凹部の内面
にはメッキ処理等により光を反射する反射膜が形成されている。青色ＬＥＤは、夫々反射
枠体２１の凹部の底面に設置され、ＹＡＧ系蛍光体２３が混ぜられた透明な樹脂２２によ
って夫々封止されてなる。
【００４８】
青色ＬＥＤ２４より出光した青色光は、ＹＡＧ系蛍光体２３を励起することによって黄
色光（図４における破線矢印Ｙｅ）を生成する光と、樹脂２２をそのまま透過して青色光
として出光する光（図４における実線矢印Ｂ）とに分かれる。白色ＬＥＤ１４は、樹脂２
２をそのまま透過した青色光とＹＡＧ系蛍光体２３が励起されることによって出光した黄
色光を混光することで、白色光を生成する。従って、白色ＬＥＤ１４から出光される白色
光の光度の調整は、青色ＬＥＤ２４より出光する青色光の光度を調整することによって行
われる。言い換えれば、白色光の光度の調整は、電流Ｉａを調整することによって行われ
る。
【００４９】
第１実施形態に係る照明装置１０では、一例として、白色ＬＥＤ１４における青色ＬＥ
Ｄ２４、及び光源部１２において青色ＬＥＤ単体として用いられる青色ＬＥＤ１５として
、両方とも波長４５０ｎｍにピークを持つ青色光を出光する青色ＬＥＤが用いられるとす
る。
【００５０】
図５は、白色ＬＥＤ１４、青色ＬＥＤ１５より出光される夫々の白色光、青色光のスペ
クトル分布を示しており、横軸は光の波長[ｎｍ]を、縦軸は光度を夫々示す。図５におい
て、破線で示すグラフ１５１は、白色ＬＥＤ１４より出光される光のスペクトル分布を示
し、実線で示すグラフ１５２は、青色ＬＥＤ１５より出光される光のスペクトル分布を示
す。白色ＬＥＤ１４では、波長４５０ｎｍをピークに有する青色光を出光する青色ＬＥＤ
２４が用いられるので、グラフ１５１は、波長４５０ｎｍのところでピークとなる山を有
する。また、白色ＬＥＤ１４において、ＹＡＧ系蛍光体２３が励起されることにより黄色
光が出光されるので、グラフ１５１は、波長５４０ｎｍ付近において頂点となる裾野の広
い山も有する。
【００５１】
青色光と、ＹＡＧ系蛍光体が励起されることによって出光した黄色光とを混光して白色
光を出光する一般的な白色ＬＥＤでも、その白色光のスペクトル分布は、青色光の所定の
波長をピークとする山と、黄色光の所定の波長を頂点とする裾野の広い山を有する。青色
ＬＥＤより出光される青色光は、その光のエネルギーが大きい。従って、シングルチップ
方式の白色ＬＥＤでは、チップとして青色ＬＥＤを用いることにより、黄色光などの蛍光
体が励起されることによって出光した他の色の光も、高い光度を有することができる。
【００５２】
一般的な白色ＬＥＤでは、青色光のピークとなる波長の光度と、黄色光の頂点となる波
長の光度の差が大きくなっている。それに対し、第１実施形態に係る白色ＬＥＤ１４では
、図５から分かるように、青色光のピークとなる波長の光度と、黄色光の頂点となる波長
の光度の差は小さくなっている。このことから、第１実施形態に係る白色ＬＥＤ１４より
出光される白色光は、一般的な白色ＬＥＤより出光される白色光よりも、黄色みがかった
白色光となることがわかる。
【００５３】
一方、青色ＬＥＤ１５としては、波長４５０ｎｍをピークに有する青色ＬＥＤが用いら
れるので、グラフ１５２は、波長４５０ｎｍのところに大きな光度のピークを有する裾野
の非常に狭い山となる。
【００５４】
白色ＬＥＤ１４より出光された黄色みがかった白色光と、青色ＬＥＤ１５より出光され
た青色光を混光することにより、白色光が生成され、この白色光が光Ｌとして光源部１２
より出光される。
【００５５】
ここで、第１実施形態に係る照明装置１０において、黄色光を出光する黄色ＬＥＤを用
いずに、黄色みがかった白色光を出光する白色ＬＥＤを用いる理由について述べる。黄色
ＬＥＤより出光される黄色光のスペクトル分布は、先に述べた青色ＬＥＤ１５の光のスペ
クトル分布のように、所定の黄色光の波長でピークを有する裾野の非常に狭い山となる。
つまり、黄色ＬＥＤの光のスペクトル分布は、赤色光の波長まで裾野が広がらないので
、液晶表示パネル３０の赤色の着色層６Ｒに黄色ＬＥＤより出光された光を透過しても、
赤色を表示することができない。このような理由から、第１実施形態に係る照明装置１０
では、黄色ＬＥＤではなく、白色ＬＥＤが用いられる。
【００５６】
図６は、色度範囲を示す国際照明委員会（ＣＩＥ）のｘｙ色度図を示す。色度範囲２０
１は、人間の目の波長感度特性による色度範囲であり、人間が見分けることのできる色度
範囲を示している。図中のＲ、Ｇ、Ｂ、Ｙｅは、赤、緑、青、黄の大まかな色度を示して
いる。図６において、青色ＬＥＤ１５より出光される青色光（波長４５０ｎｍ）の色度点
を点Ｓで示し、ＹＡＧ系蛍光体２３の色度点を点Ｑで示している。直線２１０は、点Ｓと
点Ｑを結ぶ直線である。また、一点破線で示す色度範囲２０２は、所定の白色領域を示し
ている。第１実施形態では、白色ＬＥＤ１４における青色ＬＥＤ２４は、青色ＬＥＤ１５
と同じ波長を有するものが用いられるので、白色ＬＥＤ１４より出光される白色光の色度
点は直線２１０上の点Ｖとなる。
【００５７】
図７に、この白色領域の色度範囲２０２の拡大図を示す。色度範囲２０２は、具体的に
は、４つの点ｐｏ１、ｐｏ２、ｐｏ３、ｐｏ４で規定される。色度範囲２０２における、
Ｘの値の範囲は０．２８７〜０．３１１、Ｙの値の範囲は０．２７６〜０．３１５となる
。
【００５８】
図７では、色度範囲２０２を４つの領域Ｐ１〜Ｐ４に分けている。領域Ｐ１は、４つの
点ｐｏ１、ｐｏ６、ｐｏ９、ｐｏ５で規定され、Ｘの値の範囲は０．２９１〜０．３０２
、Ｙの値の範囲は０．２７６〜０．２９４となる。領域Ｐ２は、４つの点ｐｏ６、ｐｏ２
、ｐｏ７、ｐｏ９で規定され、Ｘの値の範囲は０．２８７〜０．２９８、Ｙの値の範囲は
０．２８７〜０．３０４となる。領域Ｐ３は、４つの点ｐｏ５、ｐｏ９、ｐｏ８、ｐｏ４
で規定され、Ｘの値の範囲は０．２９８〜０．３１１、Ｙの値の範囲は０．２８２〜０．
３０５となる。領域Ｐ４は、４つの点ｐｏ９、ｐｏ７、ｐｏ３、ｐｏ８で規定され、Ｘの
値の範囲は０．２９６〜０．３０８、Ｙの値の範囲は０．２９４〜０．３１５となる。
【００５９】
このように、色度範囲２０２を４つの領域Ｐ１〜Ｐ４に分けると、例えば、領域Ｐ３、
Ｐ４は、領域Ｐ１、Ｐ２よりも図６のｘｙ色度図におけるＹｅに近い位置にある。従って
、領域Ｐ３、Ｐ４に色度点を有する白色光は、領域Ｐ１、Ｐ２に色度点を有する白色光よ
りも黄色みがかった白色光となる。また、領域Ｐ１、Ｐ２は、領域Ｐ３、Ｐ４よりも図６
のｘｙ色度図におけるＢに近い位置にある。従って、領域Ｐ１、Ｐ２に色度点を有する白
色光は、領域Ｐ３、Ｐ４に色度点を有する白色光よりも青みがかった白色光となる。ここ
で、白色ＬＥＤ１４より出光される光は、黄色みがかった白色光となるので、図７に示す
ように、点Ｖの位置は、白色領域たる色度範囲２０２におけるＹｅに近い位置となる。
【００６０】
第１実施形態に係る照明装置１０では、光源部１２より出光される白色光は、白色ＬＥ
Ｄ１４より出光される黄色っぽい白色光と、青色ＬＥＤ１５より出光される青色光を混光
した合成光である。従って、白色ＬＥＤ１４より出光される白色光の光度と、青色ＬＥＤ
１５より出光される青色光の光度の両方を調整することにより、光源部１２より出光され
る白色光の色度の値を、図６に示す直線２１０上の点Ｖと点Ｓの間の範囲Ｘ１で変えるこ
とができる。例えば、光源部１２より出光される白色光の色度点が、図７に示すように、
点Ｗの位置にあるとする。このとき、青色ＬＥＤ１５より出光される青色光の光度を上げ
れば、点Ｗの位置は、直線２１０に沿って矢印ａ１の方向に移動し、光源部１２より出光
される白色光は、より青みがかった白色光となる。青色ＬＥＤ１５より出光される青色光
の光度を下げれば、点Ｗの位置は、直線２１０に沿って矢印ａ２の方向に移動し、光源部
１２より出光される白色光は、より黄色みがかった白色光となる。一方、白色ＬＥＤ１４
より出光される白色光の光度を上げれば、点Ｗの位置は、直線２１０に沿って矢印ａ２の
方向に移動し、光源部１２より出光される白色光は、より黄色みがかった白色光となる。
白色ＬＥＤ１４より出光される白色光の光度を下げれば、点Ｗの位置は、直線２１０に
沿って矢印ａ１の方向に移動し、光源部１２より出光される白色光は、より青みがかった
白色光となる。
【００６１】
このことから分かるように、白色ＬＥＤ１４より出光される白色光の光度、青色ＬＥＤ
１５より出光される青色光の光度の両方を調整することにより、直線２１０上の範囲Ｘ１
で、所定の白色光の色度に調整することができる、即ち、光源部１２より出光される白色
光のホワイトバランスの調整を行うことが可能となる。
【００６２】
白色ＬＥＤ１４より出光される白色光の色度点たる点Ｖの位置は、主に樹脂２２に含ま
れるＹＡＧ系蛍光体２３の量によって決まる。具体的には、樹脂２２に含まれるＹＡＧ系
蛍光体２３の量が多くなれば、それだけ黄色光に変換される青色光も増えるので、点Ｖの
位置は、図７の破線矢印ｂ２に示すように、Ｙｅにより近い位置に移動する。一方、樹脂
２２に含まれるＹＡＧ系蛍光体２３の量が少なくなれば、それだけ黄色光に変換される青
色光も減るので、点Ｖの位置は、図７の破線矢印ｂ１に示すように、Ｂにより近い位置に
移動する。従って、樹脂２２に含まれるＹＡＧ系蛍光体２３の量を多くすれば、直線２１
０上の点Ｖと点Ｓの間の範囲Ｘ１をより広げることができる。即ち、光源部１２より出光
される白色光のホワイトバランスの調整可能な幅を広げることができる。
【００６３】
一般的な照明装置には、ＲＧＢの各色のＬＥＤを用いて白色光を生成しているものがあ
る。このような照明装置においては、３種類の性質の異なるＲＧＢの各色のＬＥＤに流す
電流量を調整する必要があるのに対し、第１実施形態に係る照明装置１０では、チップと
して用いられている１種類の青色ＬＥＤに流す電流量を調整するだけで良い。従って、Ｒ
ＧＢの各色のＬＥＤが用いられている一般的な照明装置と比較して、第１実施形態に係る
照明装置１０では、白色光を簡単に生成することができる。
【００６４】
また、ＲＧＢの各色のＬＥＤが用いられている一般的な照明装置では、各色のＬＥＤの
光度は、温度変化や経時変化などによっても変化し、その変化の特性は、各色のＬＥＤに
よって異なる。そのため、各色のＬＥＤに流す電流量を製品出荷時に予め設定した電流量
のままにしておくと、温度変化や経時変化などにより、各色のＬＥＤから出光された光の
光度がそれぞれ変化してしまうので、各色のＬＥＤから出光する光を混光しても当初設定
していた白色光と同じ白色光とならなくなる。例えば、温度が上昇すると、青色ＬＥＤは
明るくなる性質を有し、赤色ＬＥＤは暗くなる性質を有する。そのため、気温が高い場所
では、液晶表示パネルの表示画面で表示された白色は、青みがかった白色になる。また、
ＲＧＢのＬＥＤのうち、青色ＬＥＤは、劣化が最も早く、時間が経過するにつれて暗くな
るのに対し、赤色ＬＥＤは、劣化が最も遅い。よって、時間が経つにつれて、液晶表示パ
ネルの表示画面で表示された白色は、赤みがかった白色になる。
【００６５】
第１実施形態に係る照明装置１０では、先に述べたように、白色ＬＥＤ１４、青色ＬＥ
Ｄ１５に１種類の青色ＬＥＤのみが用いられているので、白色ＬＥＤ１４、青色ＬＥＤ１
５の温度変化や経時変化による光の光度の変化は、夫々同じ割合で変化する。従って、上
述したようなＲＧＢの各色のＬＥＤを混光して白色光を生成する照明装置と比較して、第
１実施形態に係る照明装置１０では、温度変化や経時変化による白色光のホワイトバラン
スの崩れ方を緩やかなものとすることができる。
【００６６】
（白色光のホワイトバランスの調整）
光源部１２より出光された白色光のホワイトバランスを調整する方法として、照明装置
１０より出光した直後の白色光のホワイトバランスを調整する方法と、液晶表示パネル３
０を透過した後の白色光のホワイトバランスを調整する方法の２つの方法が考えられる。
【００６７】
図８に照明装置１０より出光した直後の白色光のホワイトバランスを調整する場合の液
晶表示装置１００の製造方法のフローチャートを示し、図９に液晶表示パネル３０を透過
した白色光のホワイトバランスを調整する場合の液晶表示装置１００の製造方法のフロー
チャートを示す。
【００６８】
照明装置１０より出光した直後の白色光のホワイトバランスを調整する場合、図８に示
すように、まず、照明装置作製工程たる照明装置１０の作製（ステップＳ１１）を行い、
表示パネル作製工程たる液晶表示パネル３０の作製（ステップＳ１２）を行う。その後、
光度調整工程として、照明装置１０より出光した直後の白色光の色度を観測しつつ、白色
ＬＥＤ１４、青色ＬＥＤ１５に流す電流Ｉａ、Ｉｂを調整することにより、白色ＬＥＤ１
４より出光される白色光、青色ＬＥＤ１５より出光される青色光の両方の光度を変えて、
照明装置１０より出光した直後の白色光のホワイトバランスを調整する（ステップＳ１３
）。ホワイトバランスの調整を終えた後、組み合わせ工程として、照明装置１０と液晶表
示パネル３０を組み合わせることにより（ステップＳ１４）、液晶表示装置１００は完成
する。
【００６９】
一方、液晶表示パネル３０を透過した光を調整することで白色光を生成する場合、図９
に示すように、照明装置作製工程たる照明装置１０の作製（ステップＳ２１）を行い、表
示パネル作製工程たる液晶表示パネル３０の作製（ステップＳ２２）を行う。その後、組
み合わせ工程として、照明装置１０と液晶表示パネル３０を組み合わせる（ステップＳ２
３）。このように液晶表示装置１００の装置構成を一通り完成させた後、光度調整工程と
して、液晶表示パネル３０を透過して出光される白色光の色度を観測しつつ、白色ＬＥＤ
１４、青色ＬＥＤ１５に流す電流Ｉａ、Ｉｂを調整することにより、白色ＬＥＤ１４より
出光される白色光、青色ＬＥＤ１５より出光される青色光の両方の光度を変えて、液晶表
示パネルを出光した白色光のホワイトバランスを調整する（ステップＳ２４）。
【００７０】
以上に述べた２つの液晶表示装置１００の製造方法により、液晶表示装置１００の製造
工程中において、白色光のホワイトバランスの調整を行うことができる。
【００７１】
一般的なＲＧＢの着色層を有する液晶表示装置において、液晶表示パネルにおける着色
層の光の透過率は、その着色層の厚さなどによって異なるため、ＬＥＤから出光した光は
、着色層を透過することにより、ＲＧＢの各色の光の光度がそれぞれ変化する。そのため
、照明装置側において、所定の白色光が生成されても、着色層６を透過した後の白色光の
色が、その所定の白色光の色と同じになるとは限らない。言い換えれば、表示画面で白色
表示を行うときに、観測者が視認する白色が、その照明装置側で生成された所定の白色光
の色と同じになるとは限らない。このように、白色光を構成するＲＧＢの各色の光の光度
の割合が、着色層の透過率により変化するため、観測者は、表示画面に映し出される白色
と、照明装置側で生成した所定の白色光の色とが異なって見えてしまう。特に、ＲＧＢの
各色の光の中では、着色層による青色光の吸収が最も大きいため、白色光における青色光
の成分が不足する。また、本実施形態に係る液晶表示装置１００のように、ＲＧＢＣの着
色層６を有する液晶表示パネル３０で白色表示を行った場合には、先に述べたＲＧＢの着
色層を有する液晶表示パネルで白色表示を行うよりも、Ｃの着色層６を追加したことによ
り、白色点が、より緑色側にシフトする傾向がある。
【００７２】
このように、液晶表示パネル３０を透過した後の表示画面に映し出される白色光と、照
明装置１０で生成した白色光とでは、色度が異なってしまう。従って、観測者が実際に視
認する表示画面に映し出される白色光のホワイトバランスを調整する方が、照明装置１０
より出光した直後の白色光のホワイトバランスを調整するよりも適切な白色表示を行うこ
とができる。
【００７３】
第１実施形態に係る照明装置１０では、白色ＬＥＤ１４の青色ＬＥＤ２４、青色ＬＥＤ
１５より夫々出光される青色光の光度を調整することができる。言い換えれば、液晶表示
パネルで吸収され、白色光の青色光の成分が不足している場合には、その青色光の成分を
補うことができる。また、本実施形態に係る液晶表示装置１００のようにＲＧＢＣの着色
層６を有する液晶表示パネル３０に対し、照明装置１０を用いることにより、白色光の青
色光の成分を多くすることができ、緑色側にシフトした白色光の白色点を最適な白色点に
調整することができる。
【００７４】
（第１実施形態の変形例）
上述した第１実施形態に係る照明装置１０において、青色ＬＥＤ１５と、白色ＬＥＤ１
４における青色ＬＥＤ２４は、両方とも波長４５０ｎｍにピークを持つ青色光を出光する
青色ＬＥＤが用いられるとしているが、これに限られるものではなく、代わりに両方とも
互いに異なった波長にピークを有する青色光を出光する青色ＬＥＤが用いられるとしても
よい。
【００７５】
第１実施形態に係る照明装置の変形例では、図３に示す照明装置１０の構成において、
一例として、青色ＬＥＤ１５としては、波長４６０ｎｍにピークを持つ青色光を出光する
青色ＬＥＤが用いられるとし、白色ＬＥＤ１４における青色ＬＥＤ２４としては、波長４
５０ｎｍにピークを持つ青色光を出光する青色ＬＥＤが用いられるとする。図１０は、図
６で示した色度範囲を示す国際照明委員会（ＣＩＥ）のｘｙ色度図に、青色ＬＥＤ１５（
波長４６０ｎｍ）の色度点を点Ｐで示したものである。直線２１０ａは、点Ｖと点Ｐを結
ぶ直線である。
【００７６】
図１１は、色度範囲２０２の拡大図を示す。変形例の場合、点Ｗを図１０に示す直線２
１０ａ上の点Ｖと点Ｐの間の範囲Ｘ１ａで変えることができる。図１１で具体的に言うと
、青色ＬＥＤ１５より出光される青色光の光度を上げれば、点Ｗの位置は、直線２１０ａ
に沿って矢印ａａ１の方向に移動し、光源部１２より出光される白色光は、より青みがか
った白色光となる。白色ＬＥＤ１４より出光される白色光の光度を上げれば、点Ｗの位置
は、直線２１０ａに沿って矢印ａａ２の方向に移動し、光源部１２より出光される白色光
は、より黄色みがかった白色光となる。
【００７７】
このように、青色ＬＥＤ１５と、白色ＬＥＤ１４における青色ＬＥＤ２４より夫々出光
される青色光が、互いに異なった波長にピークを有するものであっても、第１実施形態で
述べたのと同様に、白色ＬＥＤ１４より出光される白色光の光度、青色ＬＥＤ１５より出
光される青色光の光度の両方を調整することにより、光源部１２より出光される白色光の
ホワイトバランスの調整を行うことが可能となる。
【００７８】
[第２実施形態]
次に、第２実施形態に係る照明装置１０ａについて説明する。図１２に、第２実施形態
に係る照明装置１０ａの平面図を示す。第１実施形態に係る照明装置１０は、図３に示し
たように、白色ＬＥＤ１４、青色ＬＥＤ１５が光源部１２に配置される構成となるが、第
２実施形態に係る照明装置１０ａは、図１２に示すように、第１実施形態に係る照明装置
１０の構成に加えて、さらに白色ＬＥＤ１６が光源部１２に配置される構成となる。光源
部１２より出光される光Ｌは、白色ＬＥＤ１４、１６より出光された白色光と青色ＬＥＤ
１５より出光された青色光を混光した合成光である。
【００７９】
図１３に、白色ＬＥＤ１４、１６の構成を示す。図１３に示すように、白色ＬＥＤ１６
は、白色ＬＥＤ１４の構成と同様の構成を有し、主に、反射枠体２１と、青色ＬＥＤ２５
と、ＹＡＧ（イットリウム・アルミニウム・ガーネット）系蛍光体２３より構成される。
白色ＬＥＤ１６におけるＹＡＧ系蛍光体２３の樹脂２２に対する量の割合は、白色ＬＥ
Ｄ１４におけるＹＡＧ系蛍光体２３の樹脂２２に対する量の割合と同じとされる。白色Ｌ
ＥＤ１６における青色ＬＥＤ２５は、電流Ｉｃが流されることにより青色光を出光し、そ
の白色光の光度は、電流Ｉｃの電流量に応じて変化する。電流Ｉｃの電流量も、電流Ｉａ
、Ｉｂと同様、図示しない制御装置によって独立に制御される。白色ＬＥＤ１６から出光
される白色光の光度の調整も、白色ＬＥＤ１４と同様、青色ＬＥＤ２５より出光する青色
光の光度を調整することによって行われる。言い換えれば、白色光の光度の調整は、電流
Ｉｃを調整することによって行われる。青色ＬＥＤ２５も、波長４３０ｎｍ〜４８０ｎｍ
の範囲内の波長をピークに持つ青色光を出光するものが用いられる。ただし、青色ＬＥＤ
２５は、白色ＬＥＤ１４における青色ＬＥＤ２４より出光される青色光の波長とは異なっ
た波長をピークに持つ青色光を出光する。照明装置１０ａでは、一例として、白色ＬＥＤ
１６における青色ＬＥＤ２５としては、波長４６０ｎｍにピークを持つ青色光を出光する
ものが用いられるとする。
【００８０】
図１４は、図５で示した白色ＬＥＤ１４、青色ＬＥＤ１５より出光される夫々の白色光
、青色光のスペクトル分布のグラフ１５１、１５２に、白色ＬＥＤ１６より出光される白
色光のスペクトル分布のグラフ１５３を加えたスペクトル分布のグラフである。白色ＬＥ
Ｄ１６では、波長４６０ｎｍをピークに有する青色光を出光する青色ＬＥＤ２５が用いら
れるので、グラフ１５３は、波長４６０ｎｍのところでピークとなる山を有する。また、
白色ＬＥＤ１６において、ＹＡＧ系蛍光体２３が励起されることにより黄色光が出光され
るので、グラフ１５３は、グラフ１５１と同様、波長５４０ｎｍ付近において頂点となる
裾野の広い山も有する。グラフ１５３から分かるように、白色ＬＥＤ１６から出光される
光も、白色ＬＥＤ１４から出光される光と同様、一般的な白色ＬＥＤと比較して、青色光
のピークとなる波長の光度と、黄色光の頂点となる波長の光度の差は小さくなっている。
そのため、白色ＬＥＤ１６より出光される光も、黄色みがかった白色光となる。
【００８１】
図１５は、図６の色度範囲を示す国際照明委員会（ＣＩＥ）のｘｙ色度図に、さらに白
色ＬＥＤ１６における青色ＬＥＤ２５（波長４６０ｎｍ）の色度点を点Ｐとして示してい
る。直線２１１は、点Ｐと点Ｑを結ぶ直線である。直線２１１上の点Ｚは、白色ＬＥＤ１
６より出光される白色光の色度点である。
【００８２】
図１６は、色度範囲２０２の拡大図を示す。白色ＬＥＤ１６は、白色ＬＥＤ１４と同じ
構成を有し、そのＹＡＧ系蛍光体２３の樹脂２２に対する量の割合は、白色ＬＥＤ１４に
おけるＹＡＧ系蛍光体２３の樹脂２２に対する量の割合と同じ割合とされる。また、直線
２１１上における点Ｚの位置も、主に樹脂２２に含まれるＹＡＧ系蛍光体２３の量によっ
て決まる値となる。従って、図１６に示すように、点Ｚは、直線２１１上で、かつ点Ｖに
最も近い位置となる。
【００８３】
図１６において、領域Ｐ２、Ｐ４は、領域Ｐ１、Ｐ３よりも図６のｘｙ色度図における
Ｇに近い位置にある。従って、領域Ｐ２、Ｐ４に色度点を有する白色光は、領域Ｐ１、Ｐ
３に色度点を有する白色光よりも緑がかった白色光となる。また、領域Ｐ１、Ｐ３は、領
域Ｐ２、Ｐ４よりも図６のｘｙ色度図におけるＲに近い位置にある。従って、領域Ｐ１、
Ｐ３に色度点を有する白色光は、領域Ｐ２、Ｐ４に色度点を有する白色光よりも赤みがか
った白色光となる。
【００８４】
第２実施形態に係る照明装置１０ａでは、光源部１２より出光される白色光は、白色Ｌ
ＥＤ１４、１６より出光される黄色っぽい白色光と、青色ＬＥＤ１５より出光される青色
光を混光したものである。従って、白色ＬＥＤ１４より出光される白色光の光度と、白色
ＬＥＤ１６より出光される白色光の光度の両方を調整することにより、光源部１２より出
光される白色光の色度の値を、図１６に示す点Ｚと点Ｖの間の範囲Ｙ１で変えることがで
きる。例えば、光源部１２より出光される白色光の色度点が、図１６に示すように、点Ｗ
の位置にあるとする。このとき、白色ＬＥＤ１６より出光される白色光の光度を上げれば
、点Ｗの位置は、矢印ｃ１の方向に移動し、光源部１２より出光される白色光は、より緑
がかった白色光となる。白色ＬＥＤ１４より出光される白色光の光度を上げれば、点Ｗの
位置は、矢印ｃ２の方向に移動し、光源部１２より出光される白色光は、より赤みがかっ
た白色光となる。このことから分かるように、白色ＬＥＤ１４より出光される白色光の光
度、青色ＬＥＤ１６より出光される白色光の光度の両方を調整することにより、矢印ｃ１
、ｃ２方向への白色光のホワイトバランスの調整を行うことが可能となる。
【００８５】
図１６より分かるように、光源部１２より出光される白色光の色度の値を、点Ｚと点Ｖ
の間の範囲Ｙ１で変えることにより、主に点Ｗの色度点のＹ座標が決定される。言い換え
れば、白色ＬＥＤ１４、１６より夫々出光される白色光の光度の両方を調整することによ
り、光源部１２より出光される白色光について、Ｙ軸方向のホワイトバランスの調整を行
うことが可能となる。
【００８６】
また、先に述べたように、青色ＬＥＤ１５より出光される青色光の光度と、白色ＬＥＤ
１４より出光される白色光の光度の両方を調整することにより、矢印ａ１、ａ２の方向へ
のホワイトバランスの調整を行うことが可能となる。点ＷのＸ座標は、主に直線２１０上
の位置によって決定される。言い換えれば、白色ＬＥＤ１４より出光される白色光の光度
、青色ＬＥＤ１５より出光される青色光の光度の両方を調整することにより、光源部１２
より出光される白色光について、Ｘ軸方向のホワイトバランスの調整を行うことが可能と
なる。
【００８７】
以上のことから分かるように、第２実施形態に係る照明装置１０ａでは、光源部１２よ
り出光される白色光について、白色ＬＥＤ１４、１６、青色ＬＥＤ１５のすべてを調整す
ることにより、Ｘ軸方向、Ｙ軸方向にホワイトバランスの調整を行うことができる。従っ
て、第２実施形態に係る照明装置１０ａは、第１実施形態に係る照明装置１０よりも、ホ
ワイトバランスの広範囲の調整が可能となる。
【００８８】
また、第２実施形態に係る照明装置１０ａにおいても、第１実施形態に係る照明装置１
０ａと同様、ホワイトバランスを調整する場合、チップとして用いられている１種類の青
色ＬＥＤに流す電流量を調整するだけで良い。従って、ＲＧＢの各色のＬＥＤが用いられ
ている一般的な照明装置と比較して、第２実施形態に係る照明装置１０ａでも、第１実施
形態に係る照明装置１０と同様、白色光を簡単に生成することができる。また、ＲＧＢの
各色のＬＥＤを混光して白色光を生成する照明装置と比較して、第２実施形態に係る照明
装置１０ａにおいても、第１実施形態に係る照明装置１０と同様、温度変化や経時変化に
よる白色光のホワイトバランスの崩れ方を緩やかなものとすることができる。
【００８９】
（第２実施形態の変形例）
次に第２実施形態に係る照明装置１０ａの変形例について述べる。図１７は、第２実施
形態に係る照明装置１０ａの変形例に係る白色ＬＥＤ１３を示す図である。第２実施形態
に係る照明装置１０ａでは、青色ＬＥＤ１５、白色ＬＥＤ１４、１６が、光源部１２に配
列されるとしたが、これに限られない。光源部１２に、白色ＬＥＤ１４、１６を配列する
代わりに、図１７に示す白色ＬＥＤ１３を配列することとしても良い。白色ＬＥＤ１３で
は、青色ＬＥＤ２４、２５は両方とも、１つの反射枠体２１の凹部の底面に設置され、Ｙ
ＡＧ系蛍光体２３が混ぜられた透明な樹脂２２によって封止されてなる構造を有する。青
色ＬＥＤ２４、２５は夫々、電流Ｉａ、Ｉｃが流されることにより、青色光を出光する。
電流Ｉａ、Ｉｃの電流量は、図示しない制御装置によって独立に制御される。青色ＬＥ
Ｄ２４、２５より出光した青色光は、ＹＡＧ系蛍光体２３を励起することによって黄色光
（図１７における破線矢印Ｙｅ）を生成する光と、樹脂２２をそのまま透過して青色光と
して出光する光（図１７における実線矢印Ｂ）とに分かれる。白色ＬＥＤ１３は、樹脂２
２をそのまま透過した青色光とＹＡＧ系蛍光体２３が励起されることによって出光した黄
色光を混光することで、白色光を生成する。この白色ＬＥＤ１３によっても、上述したよ
うに、光源部１２より出光される白色光について、Ｙ軸方向のホワイトバランスの調整を
行うことができ、さらに、青色ＬＥＤ１４と組み合わせることによって、Ｘ軸、Ｙ軸方向
のホワイトバランスの調整を行うことができる。
【００９０】
[応用例]
第１実施形態に係る照明装置１０及び第２実施形態に係る照明装置１０ａの光源部１２
に配置される発光素子としては、上述したような青色ＬＥＤ、白色ＬＥＤには限られない
。青色ＬＥＤの代わりに、青色発光を行うことのできる有機ＥＬ発光素子（electrolumin
escence）、白色ＬＥＤの代わりに、蛍光体を励起して白色発光を行うことのできる有機
ＥＬ発光素子を用いるとすることもできる。また、第１実施形態及び第２実施形態では、
表示パネルとして液晶表示パネルを用いているが、これに限られるものではなく、代わり
に表示パネルとして、電気泳動ディスプレイパネルなどの他の表示パネルを用いるとする
こともできる。
【００９１】
[電子機器]
次に、本実施形態に係る液晶表示装置１００を適用可能な電子機器の具体例について図
１８を参照して説明する。
【００９２】
まず、本発明に係る液晶表示装置１００を、可搬型のパーソナルコンピュータ（いわゆ
るノート型パソコン）の表示部に適用した例について説明する。図１８（ａ）は、このパ
ーソナルコンピュータの構成を示す斜視図である。同図に示すように、パーソナルコンピ
ュータ７１０は、キーボード７１１を備えた本体部７１２と、本発明に係る液晶表示装置
１００を適用した表示部７１３とを備えている。
【００９３】
続いて、本発明に係る液晶表示装置１００を、携帯電話機の表示部に適用した例につい
て説明する。図１８（ｂ）は、この携帯電話機の構成を示す斜視図である。同図に示すよ
うに、携帯電話機７２０は、複数の操作ボタン７２１のほか、受話口７２２、送話口７２
３とともに、本発明に係る液晶表示装置１００を適用した表示部７２４を備える。
【００９４】
なお、本発明に係る液晶表示装置１００を適用可能な電子機器としては、図１８（ａ）
に示したパーソナルコンピュータや図１８（ｂ）に示した携帯電話機の他にも、液晶テレ
ビ、ビューファインダ型・モニタ直視型のビデオテープレコーダ、カーナビゲーション装
置、ページャ、電子手帳、電卓、ワードプロセッサ、ワークステーション、テレビ電話、
ＰＯＳ端末、ディジタルスチルカメラなどが挙げられる。
【図面の簡単な説明】
【００９５】
【図１】第１実施形態に係る液晶表示装置の平面図。
【図２】第１実施形態に係る液晶表示装置の断面図。
【図３】第１実施形態に係る照明装置の平面図。
【図４】第１実施形態に係る白色ＬＥＤの構成を示す模式図。
【図５】第１実施形態に係る照明装置より出光される白色光のスペクトル分布。
【図６】色度範囲を示す国際照明委員会（ＣＩＥ）のｘｙ色度図。
【図７】白色領域の色度範囲の拡大図。
【図８】液晶表示装置の製造方法のフローチャート。
【図９】液晶表示装置の製造方法のフローチャート。
【図１０】色度範囲を示す国際照明委員会（ＣＩＥ）のｘｙ色度図。
【図１１】白色領域の色度範囲の拡大図。
【図１２】第２実施形態に係る照明装置の平面図。
【図１３】第２実施形態に係る白色ＬＥＤの構成を示す模式図。
【図１４】第２実施形態に係る照明装置より出光される白色光のスペクトル分布。
【図１５】色度範囲を示す国際照明委員会（ＣＩＥ）のｘｙ色度図。
【図１６】白色領域の色度範囲の拡大図。
【図１７】第２実施形態に係る照明装置の変形例を示す模式図。
【図１８】本実施形態の液晶表示装置を適用した電子機器の例を示す図。
【符号の説明】
【００９６】
１１…導光板、１２…発光装置としての光源部、１４…第１の発光手段としての白色Ｌ
ＥＤ、１５…第２の発光手段としての青色ＬＥＤ、１６…第３の発光手段としての白色Ｌ
ＥＤ、２３…青色光波長変換手段としてのＹＡＧ系蛍光体、１０，１０ａ…照明装置、３
０…表示パネルとしての液晶表示パネル、１００…電気光学装置としての液晶表示装置。
【図１】
2007109617.tif 000003
【図２】
2007109617.tif 000004
【図３】
2007109617.tif 000005
【図４】
2007109617.tif 000006
【図５】
2007109617.tif 000007
【図６】
2007109617.tif 000008
【図７】
2007109617.tif 000009
【図８】
2007109617.tif 000010
【図９】
2007109617.tif 000011
【図１０】
2007109617.tif 000012
【図１１】
2007109617.tif 000013
【図１２】
2007109617.tif 000014
【図１３】
2007109617.tif 000015
【図１４】
2007109617.tif 000016
【図１５】
2007109617.tif 000017
【図１６】
2007109617.tif 000018
【図１７】
2007109617.tif 000019
【図１８】
2007109617.tif 000020